(57)【特許請求の範囲】
【請求項１】
ベッド近傍に設置され、赤外線の反射波により物体の存在を検知する第１のセンサと、赤外線の照射により人体等の熱を反射する物質反射波により物体の存在を検知する焦電センサ等の第２のセンサと、前記第１及び第２のセンサがいずれもが前記物体の存在を検知しなくなったときに離床したとしてナースステーションに通報を行なう報知部とから構成される患者等の離床検知装置であって、
前記第１のセンサ及び前記第２のセンサの検知動作を一時停止するための停止ボタンと、前記停止ボタンが操作されてから第１の所定時間離床検知を停止させるための第１のタイマと、前記第１のタイマ時間経過後に前記第１のセンサ及び前記第２のセンサの検知動作を再開して患者等の在床検知を開始し、第２の所定時間継続して前記第１のセンサ及び第２のセンサがいずれも患者等の在床を検知すると離床検知動作を再開する第２のタイマを備えるとともに、
ナースステーションと通話するために音声を集音するマイク及びナースステーションからの音声を放音するとともに離床を検知した際に警報音を鳴動するスピーカと、ナースステーションを呼び出すための呼出握りボタンや生体モニタ等の外部通報機器を接続するための接続部とのうち少なくとも一つを備えたことを特徴とする離床検知装置。
【請求項２】
ベッド近傍に設置され、赤外線の反射波により物体の存在を検知する第１のセンサと、赤外線の照射により人体等の熱を反射する物質反射波により物体の存在を検知する焦電センサ等の第２のセンサと、前記第１及び第２のセンサがいずれもが前記物体の存在を検知しなくなったときに離床したとしてナースステーションに通報を行なう報知部とから構成される患者等の離床検知装置であって、
前記第１のセンサ及び前記第２のセンサの検知動作を一時停止するための停止ボタンと、前記停止ボタンが操作されてから第１の所定時間離床検知を停止させるための第１のタイマと、前記第１のタイマ時間経過後に前記第１のセンサ及び前記第２のセンサの検知動作を再開して患者等の在床検知を開始し、第２の所定時間継続して前記第１のセンサ及び第２のセンサがいずれも患者等の在床を検知すると離床検知動作を再開する第２のタイマを備えるとともに、
前記第１のセンサ又は前記第２のセンサの受信部は、ナースステーションを呼び出すための無線呼出ボタンや生体モニタ等の無線通報機器からの呼出信号を受信するための受信回路を有することを特徴とする離床検知装置。
【発明の詳細な説明】
【技術分野】
【０００１】
本発明は、離床検知装置で、特にナースコールとの親和性を向上することができる離床検知装置に関する。
【背景技術】
【０００２】
従来から、離床検知装置として、文献１の先行技術に示すような装置が提案されている。本装置によれば、患者がベッドから離れると焦電型赤外線センサ等で検知を行なう。
これにより、患者がベッドを離れると、その警報報知によりベッドからの転落に対する対応などに対して迅速な対応をおこなうことができる。
【先行技術文献】
【特許文献】
【０００３】
特開平１０−００５１８０号公報
【発明の開示】
【発明が解決しようとする課題】
【０００４】
しかしながら、従来の離床検知装置においては、トイレにいくなど一時的にベッドを離れる場合にも警報報知がおこなわれてしまい、看護師等の看護者にとっては対応する手間が増えてしまうという難点があった。また、この離床検知装置は、単独での設置を前提としているためベッド周辺に生体モニタ等の多数の機器が設置された場合には、配線が絡まったり設置場所がなくなってしまう等の問題があった。
【０００５】
本発明は、上述の難点を解消するためになされたもので、トイレにいくなど一時的にベッドを離れる場合であっても誤報されることがなく、また、離床検知装置にナースコール子機の機能を付加することにより、低コストかつ省スペースの離床検知装置を構築して利便性を向上させる離床検知装置を提供することを目的とする。
【課題を解決するための手段】
【０００６】
上述の目的を達成するため、本発明の第１の態様である離床検知装置は、ベッド近傍に設置され、赤外線の反射波により物体の存在を検知する第１のセンサと、赤外線の照射により人体等の熱を反射する物質反射波により物体の存在を検知する焦電センサ等の第２のセンサと、第１及び第２のセンサがいずれもが物体の存在を検知しなくなったときに離床したとしてナースステーションに通報を行なう報知部とから構成される患者等の離床検知装置であって、第１のセンサ及び第２のセンサの検知動作を一時停止するための停止ボタンと、停止ボタンが操作されてから第１の所定時間離床検知を停止させるための第１のタイマと、第１のタイマ時間経過後に第１のセンサ及び第２のセンサの検知動作を再開して患者等の在床検知を開始し、第２の所定時間継続して第１のセンサ及び第２のセンサがいずれも患者等の在床を検知すると離床検知動作を再開する第２のタイマを備えたことを特徴とする。
【０００７】
また、本発明の第２の態様である離床検知装置は、請求項１において、第１のタイマの計時時間経過後に計時を開始し、第３の所定時間内に第１及び第２のセンサがいずれも在床を検知できなかった場合に警報動作を行なうための第３のタイマを備えたことを特徴とする。
【０００８】
また、本発明の第３の態様である離床検知装置は、請求項１又は請求項２において、ナースステーションと通話するために音声を集音するマイク及びナースステーションからの音声を放音するとともに離床を検知した際に警報音を鳴動するスピーカと、ナースステーションを呼び出すための呼出握りボタンや生体モニタ等の外部通報機器を接続するための接続部とのうち少なくとも一つを備えたことを特徴とする。
【０００９】
更に、本発明の第４の態様である離床検知装置は、請求項１乃至請求項３何れかにおいて、第１のセンサ又は第２のセンサの受信部は、ナースステーションを呼び出すための無線呼出ボタンや生体モニタ等の無線通報機器からの呼出信号を受信するための受信回路を有することを特徴とする。
【発明の効果】
【００１０】
請求項１の離床検知装置によれば、ナースコール子機の通話機能が離床検知装置に内蔵されることにより、離床検知装置に追加の音声回路が不要となるとともに、省スペースで設置することができる。また、押しボタンや生体モニタの配線は離床検知装置から接続でき、壁面への接続線は離床検知装置のみとなるため、配線長が短くなるとともに、押しボタンや生体モニタの移動が容易となる。
請求項２の離床検知装置によれば、押しボタンを無線化できるとともに、押しボタンの受信部を離床検知装置の受信部と兼用できるため、コストが低減できるとともに信頼性を向上することができる。
【図面の簡単な説明】
【００１１】
【図１】（ａ）は、本発明の実施例による離床検知装置の構成図であり、（ｂ）は設置した場合の外観図である。
【図２】本発明の実施例による離床検知装置のブロック図である。
【図３】本発明の実施例による離床検知装置の検知及び停止操作時のフローチャートである。
【発明を実施するための最良の形態】
【００１２】
以下、本発明の離床検知装置を適用した最良の実施の形態例について、図面を参照して説明する。
図１（ａ）は、本発明の実施例による離床検知装置の構成を示すシステム構成図であり、ナースコール親機１と、ナースコール子機２０ａ、２０ｂ、・・・を内蔵し、徘徊の可能性のある患者の離床を監視する離床検知装置２ａ、２ｂ、・・・とがそれぞれ接続されている。
【００１３】
離床検知装置２ａ、２ｂ、・・・は赤外線の反射波により物体の存在を検知する赤外センサ２６ａ、２６ｂ、・・・、赤外線の照射により人体等の熱を反射する物質反射波により物体の存在を検知する焦電センサ２７ａ、２７ｂ、・・・、検知動作を一時停止するための停止ボタン２８ａ、２８ｂ、・・・、後述する外部握りボタンを接続するボタンコネクタ２４ａ、２４ｂ、・・・、各呼出・警報操作を終了させる復旧ボタン２３ａ、２３ｂ、・・・、患者がナースステーションと通話するために音声を集音するマイク２１ａ、２１ｂ、・・・、ナースステーションからの音声を放音するとともに離床を検知した際に警報音を鳴動するスピーカ２２ａ、２２ｂ、・・・、生体モニタ等を接続するための外部コネクタ２５ａ、２５ｂ、・・・とを有している。また、ボタンコネクタ２４ａ、２４ｂ、・・・を介して、患者が看護師を呼び出すために操作する外部握りボタン２４１ａ、２４１ｂが接続されている。
【００１４】
図２は、離床検知装置２のブロック図であり、図１の各部の他、後述の動作で説明する第１のタイマ３１、第２のタイマ３２、第３のタイマ３３及び各タイマの時間設定をおこなう設定部４１、ナースコール親機１と通信するためのＩＦ２９、離床検知装置２の各部を制御するための離床ＣＰＵ３０とから構成されている。
【００１５】
以下、このように構成された離床検知装置について以下、図３のフローチャートを参照して動作について説明する。
なお、患者が看護師を呼び出す際に、外部握りボタン２４１ａが押下されると、離床ＣＰＵ３０がそれを検知し、ナースステーションに設置されたナースコール親機１に呼出信号を送出して、これを確認した看護師が、応答操作をおこなうと、図示しないナースコール親機１の通話部と、ナースコール子機２０ａのマイク２１ａ、スピーカ２２ａとの通話路が確立され、患者が看護師と通話を行なうことができる点については従来と同様であるため説明を省略し、本実施例では、患者がベッドから離床する場合の動作について詳述する。
なお、患者がベッドに横になっている状態で離床検知装置２ａの赤外センサ２６ａ及び焦電センサ２７ａの検知範囲内となるように設定されているものとする（図１（ｂ）参照）。
【００１６】
トイレ、検査等で患者がベッドを離れる際には看護師の付き添いが必要となり、看護師が離床検知装置２ａの停止ボタン２８ａを操作する(ＳＴ１)。これにより、離床検知装置２ａの離床ＣＰＵ３０の制御により第１のタイマ３１が計時を開始し、例えば、第１の所定時間として５分間は赤外センサ２６ａ、焦電センサ２７ａの全ての検知動作を停止するように制御される(ＳＴ２)。これにより、離床作業中の一時的な離床検知後の在床検知により、後述する検知動作の誤再開を防止することができる。
【００１７】
そして、離床ＣＰＵ３０は、５分経過により第１のタイマ３１が計時を終了すると、赤外センサ２６ａ、焦電センサ２７ａの在床検知動作のみを再開させる（ＳＴ４）。このとき、離床を検知しても、在床を検知するまでは警報音鳴動等の警報動作を行なわない。この状態において、患者がベッドに戻ると赤外センサ２６ａ、焦電センサ２７ａが患者の在床を検知する(ＳＴ５)。このとき、直ぐに離床検知を再開するのではなく、在床を検知したとき第２のタイマ３２が計時し、例えば第２の所定時間として１分間は離床検知をおこなわない（ＳＴ８）ように制御する。そして。当該１分間連続して患者の在床を検知したとき離床検知を再開するように制御し（ＳＴ９）、通常状態に移行させる（ＳＴ１０）。これにより、在床させるための作業中にたまたま赤外センサ２６ａ、焦電センサ２７ａの検知範囲外となってしまった場合であっても警報報知がおこなわれないことになり、看護師の負担を軽減することができる。
【００１８】
なお、離床ＣＰＵ３０は、第１のタイマ３１において計時する第１の所定時間経過後（５分）に、焦電センサ２７ａの在床検知動作のみを再開するとともに、第３のタイマ３３において第３の所定時間として、例えば１５分の計時を開始させるよう制御する(ＳＴ６)。そして、第３の所定時間内に在床を検知できなかった場合には、異常徘徊の恐れがあるとして、ナースコール親機１に警報信号を送出するとともに、スピーカ２２ａから警報音を鳴動させるように制御する（ＳＴ７）。また、入院中の患者においては、検査、リハビリ等、トイレと比較して長時間にわたって離床することがあるため、離床検知装置２ａには、誤報を防止するために第３のタイマの設定時間を設定する設定部４１を備えることも好適である。
【００１９】
通常動作において、離床ＣＰＵ３０が患者の離床を検知すると、検知信号を離床検知装置ＩＦ２９を介してナースコール親機１に通知し、当該ナースコール親機で警報報知される。これを確認した看護師が応答操作をおこなうと、離床検知装置２のナースコール子機２０ａに備えたマイク２１ａ及びスピーカ２２ａ間で通話路が形成され、患者または看護師と通話することができ、迅速な対応をおこなうことができる。
【００２０】
上記実施例において、離床検知装置２ａには、外部コネクタ２５ａに接続された生体モニタが接続され、当該生体モニタからの異常信号についても、同様にナースコール親機１に警報信号を送出するとともに、スピーカ２２ａから警報音を鳴動することができる。
されに、赤外センサ２６ａ、焦電センサ２７ａの受信部は、ナースステーションを呼び出すための無線呼出ボタンや生体モニタ等の無線通報機器からの呼出信号を受信するための受信回路としても動作させることが可能であり、このように離床検知装置２ａにナースコール子機の機能を付加することにより低コストかつ省スペースの離床検知装置を構築して利便性を向上させることが可能となる。
【符号の説明】
【００２１】
１・・・               ナースコール親機
２・・・               離床検知装置
２１・・・           マイク
２２・・・           スピーカ
２４・・・           ボタンコネクタ
２４１・・・       外部握りボタン
２５・・・           外部コネクタ
２６・・・           第１のセンサ（赤外センサ）
２７・・・           第２のセンサ（焦電センサ）
２８・・・           停止ボタン
３１・・・           第１のタイマ
３２・・・           第２のタイマ
３３・・・           第３のタイマ
【図１】
0005722659.tif 000002
【図２】
0005722659.tif 000003
【図３】
0005722659.tif 000004